(57)【要約】      （修正有）【課題】悪路であっても走行可能で、より早期に電力供給が可能な移動電源車を提供する。【解決手段】移動電源車１は、発電機５および発電機駆動用エンジン６が収容された防音室４と、防音室４が載置される荷台部２２を有すると共に、車両前後方向に並んで設けられた複数の車軸２３Ｆ、２３Ｒを有する車両本体２と、複数の車軸２３Ｆ、２３Ｒにそれぞれ取り付けられる複数の三角クローラ３と、を備える。三角クローラ３は、車軸２３Ｆ（２３Ｒ）に取り付けられる駆動輪と、駆動輪の下方に車両前後方向に並んで配置される複数の転輪３２〜３５と、駆動輪および複数の転輪３２〜３５に略三角形状に架け渡される履帯３６とを有する。【選択図】図１
0003204254.tif 000002
【実用新案登録請求の範囲】
【請求項１】
発電機および発電機駆動用エンジンが収容された防音室と、
前記防音室が載置される荷台部を有すると共に、車両前後方向に並んで設けられた複数の車軸を有する車両本体と、
前記複数の車軸にそれぞれ取り付けられる複数の三角クローラと、
を備え、
前記三角クローラは、
前記車軸に取り付けられる駆動輪と、
前記駆動輪の下方に車両前後方向に並んで配置される複数の転輪と、
前記駆動輪および前記複数の転輪に略三角形状に架け渡される履帯とを有することを特徴とする移動電源車。
【請求項２】
各前記車軸に、前記三角クローラに代えて、タイヤを取り付け可能であることを特徴とする請求項１に記載の移動電源車。
【請求項３】
前記三角クローラを装着した前記移動電源車の重心の路面からの高さが、１６５０ｍｍ以下であることを特徴とする請求項１または２に記載の移動電源車。
【請求項４】
前記防音室の少なくとも一部が、アルミニウムまたはアルミニウム合金で形成されていることを特徴とする請求項１〜３のいずれか１項に記載の移動電源車。
【請求項５】
前記発電機の一部が、アルミニウムまたはアルミニウム合金で形成されていることを特徴とする請求項１〜４のいずれか１項に記載の移動電源車。
【請求項６】
前記発電機の出力が、３０ｋＶＡ以上であることを特徴とする請求項１〜５のいずれか１項に記載の移動電源車。
【考案の詳細な説明】
【技術分野】
【０００１】
本考案は、移動電源車に関する。
【背景技術】
【０００２】
移動電源車は、発電機と、発電機を駆動するエンジンとを搭載した車両である。移動電源車としては、例えば特許文献１に示すように、トラックの荷台部に、発電機とエンジンを収容する防音室が載置されたものが知られている（例えば特許文献１参照）。このような移動電源車は、例えば、災害が発生した場合に、停電した被災地に向かい、避難所等で発電機を使って発生させた電力を供給する。
【先行技術文献】
【特許文献】
【０００３】
【特許文献１】特開平９−２１５２６２号公報
【考案の概要】
【考案が解決しようとする課題】
【０００４】
しかしながら、移動電源車が避難所等に向かう途中で、土砂崩れや大雪、冠水などによって道路が通行不能となる場合がある。そのような場合には、移動電源車は、道路が整備されるまで待機したり、迂回したりする必要があった。そのため、電気が必要な場所に到着する時間が遅くなってしまう。
【０００５】
そこで、本考案は、悪路であっても走行可能で、より早期に電力供給が可能な移動電源車を提供することを目的とする。
【課題を解決するための手段及び考案の効果】
【０００６】
本考案の移動電源車は、発電機および発電機駆動用エンジンが収容された防音室と、前記防音室が載置される荷台部を有すると共に、車両前後方向に並んで設けられた複数の車軸を有する車両本体と、前記複数の車軸にそれぞれ取り付けられる複数の三角クローラと、を備えることを特徴とする。前記三角クローラは、前記車軸に取り付けられる駆動輪と、前記駆動輪の下方に車両前後方向に並んで配置される複数の転輪と、前記駆動輪および前記複数の転輪に略三角形状に架け渡される履帯とを有する。
【０００７】
この構成によると、移動電源車には、駆動輪と、複数の転輪と、駆動輪および複数の転輪に略三角形状に架け渡される履帯とを有する三角クローラが装着される。三角クローラは、タイヤと比べて地面との接触面積が広い。よって、接触面積当たりの圧力を下げることができる。そのため、泥や雪などの柔らかい面でも走行できる。また、面圧が低いことでスリップしにくいため、地面に起伏があっても乗り越えることができる。また、荷重を受ける複数の転輪が履帯で覆われるため、タイヤが嵌るような大きさの穴があっても嵌ることなく通過できる。また、三角クローラを装着したことで、最低地上高が高くなる。そのため、冠水路であっても走行できる。このように、移動電源車は悪路であっても走行可能であるため、災害時に避難所等により早く到着して電力を供給できる。
【０００８】
本考案の移動電源車は、各前記車軸に、前記三角クローラに代えて、タイヤを取り付け可能であることが好ましい。
【０００９】
この構成によると、移動電源車は、三角クローラとタイヤを選択的に装着できる。三角クローラを装着した場合の最高速度は、タイヤを装着した場合の最高速度よりも遅くなる。そのため、被災地に向かう際、途中までタイヤで走行し、悪路の前に三角クローラに交換して走行することで、避難所等により早く到着して電力を供給できる。
【００１０】
本考案の移動電源車は、前記三角クローラを装着した前記移動電源車の重心の路面からの高さが、１６５０ｍｍ以下であることが好ましい。
【００１１】
この構成によると、三角クローラを装着した移動電源車の重心が低い。そのため、移動電源車は、傾斜角度の大きい斜面でも倒れずに走行できる。したがって、走行がより困難な悪路を走行することができ、避難所等への早期の電力供給をより確実に行うことができる。
【００１２】
本考案の移動電源車は、前記防音室の少なくとも一部が、アルミニウムまたはアルミニウム合金で形成されていることが好ましい。
【００１３】
この構成によると、防音室が鉄製の場合に比べて、防音室を軽量化できる。荷台部の上に載置される防音室を軽量化することで、移動電源車の重心をより低くできる。三角クローラを装着した移動電源車の重心が低いことにより、傾斜角度の大きい斜面でも倒れずに走行できる。したがって、走行がより困難な悪路を走行することができ、避難所等への早期の電力供給をより確実に行うことができる。
【００１４】
本考案の移動電源車は、前記発電機の一部が、アルミニウムまたはアルミニウム合金で形成されていることが好ましい。
【００１５】
この構成によると、発電機の一部が鉄製の場合に比べて、発電機を軽量化できる。荷台部の上に載置される防音室内の発電機を軽量化することで、移動電源車の重心をより低くできる。三角クローラを装着した移動電源車の重心が低いことにより、傾斜角度の大きい斜面でも倒れずに走行できる。したがって、走行がより困難な悪路を走行することができ、避難所等への早期の電力供給をより確実に行うことができる。
【００１６】
本考案の移動電源車は、前記発電機の出力が、３０ｋＶＡ以上であることが好ましい。
【図面の簡単な説明】
【００１７】
【図１】図１は移動電源車の右側面図であって、一部を断面で表示した図である。
【図２】図２は三角クローラをタイヤに交換した移動電源車の右側面図であって、一部を断面で表示した図である。
【考案を実施するための形態】
【００１８】
以下、本考案の実施形態について説明する。図１に示すように、本実施形態の移動電源車１は、車両本体２と、車両本体２に装着された三角クローラ３と、車両本体２に設置された防音室４とを有する。以下の説明において、前後方向とは、車両１の前後方向のことである。また、左右方向とは、車両１の左右方向（車幅方向）のことである。なお、図１は、防音室４の左右方向の略中央で切断した断面を表示すると共に、防音室４の内部機器の左側面図を表示している。
【００１９】
防音室４は、発電機５、発電機駆動用エンジン６、ラジエータ７、ファン８、マフラー９、および制御盤１０を収容する。制御盤１０は、発電機５および発電機駆動用エンジン６の運転を制御する装置である。防音室４は、箱状である。防音室４内は、遮音壁１２によって、発電室１３ａとマフラー室１３ｂに仕切られている。発電室１３ａには、発電機５、発電機駆動用エンジン６、ラジエータ７、ファン８、および制御盤１０が収容されている。マフラー室１３ｂには、マフラー９が収容されている。
【００２０】
防音室４の後面の上部には、防音室４内に空気を取り込むための吸気口４ａが形成されている。吸気口４ａは、図示しない扉によって開閉される。防音室４の上部には、排気ダクト４ｂが上方に突出して形成されている。排気ダクト４ｂは、マフラー室１３ｂの上部に形成されている。防音室４の左面には、制御盤１０の計器を確認するための窓（図示せず）が設けられる。防音室４の左右両側面には、少なくとも１つの扉（図示せず）がそれぞれ設けられる。これらの扉は、メンテナンス等の際に作業者が出入りするためのものや、制御盤１０を外部から操作するためのものを含む。また、防音室４の後面には、吸気口４ａを開閉する扉とは別に、少なくとも１つの扉（図示せず）が設けられる。この扉は、発電機５により発生させた電力を車外の設備等に供給する際に開かれる。例えば、扉の内側に、発電機５に接続された出力端子（図示せず）が配置されており、この出力端子に、車外の設備等に接続された給電ケーブルを接続してもよい。また、例えば、防音室４内に、リールに巻き取られた状態で給電ケーブルが配置されており、扉から給電ケーブルを車外に引き出してもよい。
【００２１】
防音室４は、壁部(天井含)と床部で構成される。防音室４の壁部(天井含)は、発電機５および発電機駆動用エンジン６で発生した騒音が外部に漏れ出るのを抑制するために、遮音性の高い構造となっている。例えば、防音室４の壁部(天井含)は、内板と外板とを有する二重構造となっている。そして、内板と外板との間は空気層であるかもしくはグラスウールなどの吸音材が配置されている。図１では、防音室４の壁部の断面をハッチングで表示しているが、壁部は中空であってもよい。防音室４の壁部を形成する金属板は、アルミニウムまたはアルミニウム合金で形成されている。つまり、防音室４の壁部(天井含)の少なくとも一部は、アルミニウムまたはアルミニウム合金で形成される。なお、防音室４の壁部を形成する金属板は、アルミニウムおよびアルミニウム合金以外の金属で形成されていてもよい。
【００２２】
防音室４の床部は、床板４ｃと、床板４ｃを補強するための床骨材（図示せず）とで構成される。床骨材は、Ｃ型またはＨ型などの形材が用いられる。床板４ｃおよび床骨材は、アルミニウムまたはアルミニウム合金で形成されていることが好ましい。床板４ｃは、アルミニウムまたはアルミニウム合金で形成されていなくてもよい。床骨材は、アルミニウムまたはアルミニウム合金で形成されていなくてもよい。
【００２３】
発電機駆動用エンジン６は、ディーゼルエンジンである。なお、発電機駆動用エンジン６は、ガソリンエンジン、ガスタービンエンジン、またはガスエンジンであってもよい。発電機駆動用エンジン６は、吸気管１４を介してエアクリーナー１５に接続されている。エアクリーナー１５によって粉塵等が除去された空気は、吸気管１４を介して発電機駆動用エンジン６に供給される。発電機駆動用エンジン６は、排気管１６を介してマフラー９に接続されている。マフラー９は、発電機駆動用エンジン６の排気の騒音を低減する装置である。マフラー９には、排気管１７が接続されている。排気管１７は、マフラー９から上方に延びており、その先端部は排気ダクト４ｂに配置されている。発電機駆動用エンジン６から排出された排気は、排気管１６とマフラー９と排気管１７を通過した後、排気ダクト４ｂから大気に放出される。
【００２４】
発電機駆動用エンジン６は、水冷式のエンジンである。発電機駆動用エンジン６を冷却して高温となった冷却水は、冷却水管１８を通って、ラジエータ７に供給される。ラジエータ７は、ファン８から送られた空気流との熱交換によって冷却水を冷却する。ラジエータ７で冷却された冷却水は、冷却水管１９を通って、発電機駆動用エンジン６に戻される。ファン８は、発電機駆動用エンジン６に連結されており、発電機駆動用エンジン６によって回転駆動される。ファン８の駆動によって、吸気口４ａから防音室４内に空気が吸い込まれる。ファン８からラジエータ７に送られた空気流は、ラジエータ７を通過した後、マフラー室１３ｂ内に流れ込む。マフラー室１３ｂ内の空気は、排気ダクト４ｂから大気に放出される。
【００２５】
発電機駆動用エンジン６の一部は、アルミニウムまたはアルミニウム合金で形成されていることが好ましい。例えば、発電機駆動用エンジン６のハウジングが、アルミニウムまたはアルミニウム合金で形成されていてもよい。発電機駆動用エンジン６のハウジングは、発電機駆動用エンジン６の外面を形成する部品である。
【００２６】
発電機５は、発電機駆動用エンジン６に連結されている。発電機５は、界磁と電機子を有し、そのどちらかが回転することにより、両者を相対運動させて発電する。回転する方を回転子といい、固定された方を固定子という。発電機駆動用エンジン６の駆動動力により回転子が回転することで、発電機５は発電する。発電機５は、交流発電機である。より詳細には、発電機５は、三相交流発電機である。発電機５は、単相交流発電機であってもよい。
【００２７】
発電機５の出力は、３０ｋＶＡ以上である。発電機５の出力は、５０ｋＶＡ以上が好ましい。発電機５の出力電圧は、特に限定されない。発電機５の出力電圧は、例えば２００Ｖ程度の低電圧であってもよい。また、発電機５の出力電圧は、例えば６０００〜７０００Ｖ程度の高電圧であってもよい。
【００２８】
発電機５の一部は、アルミニウムまたはアルミニウム合金で形成されていることが好ましい。例えば、発電機５のハウジングが、アルミニウムまたはアルミニウム合金で形成されている。発電機５のハウジングは、発電機５の外面を形成する部品である。
【００２９】
車両本体２は、キャブ（運転室）２１と、荷台部２２とを有する。防音室４は、荷台部２２に載置される。車両本体２は、いわゆるキャブオーバー型である。つまり、キャブ２１は、運転席（図示せず）の下方に、車両走行用エンジン（図示せず）を有する。なお、車両走行用エンジンの位置は、これに限らない。荷台部２２の下部には、車両走行用エンジンと発電機駆動用エンジン６の燃料を貯留する燃料タンク（図示省略）が取り付けられている。荷台部２２の下部には、車両走行用エンジンと発電機駆動用エンジン６を始動する際に使用するバッテリーが取り付けられている。
【００３０】
車両本体２は、最大積載量３０００ｋｇ以上６５００ｋｇ未満のいわゆる中型トラックに相当する。車両本体２には、前後方向に並んで前車軸２３Ｆと後車軸２３Ｒが設けられている。前車軸２３Ｆは、キャブ２１の下部に設けられる。後車軸２３Ｒは、荷台部２２の下部に設けられる。以下、前車軸２３Ｆおよび後車軸２３Ｒを区別せずに車軸２３と総称する場合がある。移動電源車１は、四輪駆動方式の車両である。したがって、前車軸２３Ｆと後車軸２３Ｒはともに駆動軸として機能する。
【００３１】
前車軸２３Ｆの両端には、三角クローラ３が取り付けられている。後車軸２３Ｒの両端には、三角クローラ３が取り付けられている。三角クローラ３は、駆動輪３１と、駆動輪３１の下方に配置される転輪３２、３３、３４、３５と、駆動輪３１および転輪３２〜３５に略三角形状に架け渡される履帯３６とを有する。駆動輪３１はスプロケットである。駆動輪３１は、車軸２３の端部に設けられたハブフランジ２３ａに、ボルトとナットで着脱可能に取り付けられる。駆動輪３１には、駆動輪３１の中心軸回りに揺動可能にフレーム３７が取り付けられている。転輪３２〜３５は、フレーム３７に回転自在に取り付けられている。転輪３２〜３５は、前後方向に並んで配置される。各転輪３２〜３５は、左右一対ずつ設けられている。履帯３６は、ゴム製である。履帯３６の内周面には、その周方向に沿って複数の突部（図示せず）が形成されている。履帯３６の突起は、駆動輪３１の外周部に形成された溝部に係合される。この係合によって、駆動輪３１の駆動力が履帯３６に伝達される。
【００３２】
車両本体２の前部には、倒木や雪をかきわけるためのブレード（図示せず）が、着脱可能に取り付けられてもよい。ブレードを取り付けることで、倒木や大雪により通行が困難な道路であっても走行できる。
【００３３】
上述したように、移動電源車１は軽量化の工夫が施されている。発電機５の出力が３０ｋＶＡ以上７５ｋＶＡ未満の場合、三角クローラ３を装着した移動電源車１の重量は、５０００ｋｇ未満が好ましい。また、発電機５の出力が７５ｋＶＡ以上１５０ｋＶＡ未満の場合、三角クローラ３を装着した移動電源車１の重量は、６５００ｋｇ未満が好ましい。
【００３４】
図２に示すように、車軸２３には、三角クローラ３に代えて、タイヤ４０を取り付けることができる。タイヤ４０に交換する場合には、前車軸２３Ｆと後車軸２３Ｒの両方ともタイヤ４０に交換する。タイヤ４０は、ホイール４１に装着される。このホイール４１は、ハブフランジ２３ａに、ボルトとナットで取り付けられる。それにより、タイヤ４０が車軸２３に取り付けられる。タイヤ４０とホイール４１は、中型トラックに一般的に用いられるタイヤとホイールが用いられる。言い換えると、ハブフランジ２３ａは、一般的な中型トラックのホイールを取り付けることができるように形成されている。また、駆動輪３１のボルト穴は、一般的な中型トラックのホイールのボルト穴と同じピッチで形成されている。
【００３５】
三角クローラ３を装着した移動電源車１の車軸２３の中心と地面との離間距離は、タイヤ４０の半径よりも若干大きい。しかし、三角クローラ３の重量は、タイヤ４０とホイール４１の重量の合計より大きい。それに加えて、移動電源車１は、発電機５等の防音室４内の装置と防音室４が軽量化されており、タイヤを装着した移動電源車１の重心は、一般的な中型トラックの移動電源車の重心よりも低い。そのため、三角クローラ３を装着した移動電源車１は、タイヤ４０を装着した移動電源車１よりも、傾いた路面に設置したときの安定度が高い。
【００３６】
移動電源車１の重心位置は、移動電源車１を３０°傾いた路面に設置した場合に転倒しない位置であればよい。移動電源車１の重心位置は、移動電源車１を３５°傾いた路面に設置した場合に転倒しない位置であることがより好ましい。三角クローラ３を装着した移動電源車１は安定度が高いため、計算上、三角クローラ３を装着した移動電源車１の重心位置の上限は、タイヤ４０を装着した移動電源車１の重心位置の上限より高い。一例を挙げると、タイヤ４０を装着した移動電源車１の重心高さ（重心の路面からの高さ）が、１１７７ｍｍ以下でよい場合、三角クローラ３を装着した移動電源車１の重心高さは、１３７５ｍｍ以下でよい。なお、１１７７ｍｍ、１３７５ｍｍという数値は、移動電源車１を３５°傾いた路面に設置した場合に転倒しない重心高さの上限値として算出された値である。但し、あくまで一例であって、この数値に限定されるものではない。三角クローラ３を装着した移動電源車１の実際の重心は、タイヤ４０を装着した移動電源車１の実際の重心より低くても高くてもよい。三角クローラ３を装着した移動電源車１の重心高さは、１６５０ｍｍ以下が好ましい。
【００３７】
以上、本実施形態の移動電源車１について説明した。本実施形態の移動電源車１は以下の特徴を有する。
移動電源車１には、駆動輪３１と、複数の転輪３２〜３５と、駆動輪３１および複数の転輪３２〜３５に略三角形状に架け渡される履帯３６とを有する三角クローラ３が装着される。三角クローラ３は、タイヤ４０と比べて地面との接触面積が広い。よって、接触面積当たりの圧力を下げることができる。そのため、泥や雪などの柔らかい面でも走行できる。また、面圧が低いことでスリップしにくいため、地面に起伏があっても乗り越えることができる。また、荷重を受ける複数の転輪３２〜３５が履帯３６で覆われるため、タイヤが嵌るような大きさの穴があっても嵌ることなく通過できる。また、三角クローラ３を装着したことで、最低地上高が高くなる。そのため、冠水路であっても走行できる。このように、移動電源車１は悪路であっても走行可能であるため、災害時に避難所等により早く到着して電力を供給できる。
【００３８】
また、移動電源車１は、三角クローラ３とタイヤ４０を選択的に装着できる。三角クローラ３を装着した場合の最高速度は、タイヤ４０を装着した場合の最高速度よりも遅くなる。そのため、被災地に向かう際、途中までタイヤ４０で走行し、悪路の前に三角クローラ３に交換して走行することで、避難所等により早く到着して電力を供給できる。
【００３９】
本実施形態では、三角クローラ３を装着した移動電源車１の重心の路面からの高さが、１６５０ｍｍ以下である。このように、三角クローラ３を装着した移動電源車１の重心が低いことにより、傾斜角度の大きい斜面でも倒れずに走行できる。したがって、走行がより困難な悪路を走行することができ、避難所等への早期の電力供給をより確実に行うことができる
【００４０】
従来、移動電源車の防音室の壁部および床部を形成する金属には、強度とコストの観点から鉄が用いられていた。これに対して、本実施形態の移動電源車１の防音室４の壁部の少なくとも一部、床板４ｃ、および床骨材は、アルミニウムまたはアルミニウム合金で形成されている。つまり、本実施形態の移動電源車１の防音室４は、少なくとも一部が、アルミニウムまたはアルミニウム合金で形成されている。それにより、防音室が鉄製の場合に比べて、防音室４を軽量化できる。荷台部２２の上に載置される防音室４を軽量化することで、移動電源車１の重心をより低くできる。三角クローラ３を装着した移動電源車１の重心が低いことによる効果は上述した通りである。
【００４１】
従来、移動電源車の発電機を形成する金属には、強度とコストの観点から鉄が用いられていた。本実施形態の移動電源車１の発電機５の一部が、アルミニウムまたはアルミニウム合金で形成されている場合、発電機５を軽量化できる。荷台部２２の上に載置される防音室４内の発電機５を軽量化することで、移動電源車１の重心をより低くできる。三角クローラ３を装着した移動電源車１の重心が低いことによる効果は上述した通りである。
【００４２】
また、発電機駆動用エンジン６の一部が、アルミニウムまたはアルミニウム合金で形成されている場合、発電機駆動用エンジン６を軽量化できる。荷台部２２の上に載置される防音室４内の発電機駆動用エンジン６を軽量化することで、移動電源車１の重心をより低くできる。三角クローラ３を装着した移動電源車１の重心が低いことによる効果は上述した通りである。
【００４３】
また、発電機駆動用エンジン６の一部が、アルミニウムまたはアルミニウム合金で形成されている場合、発電機駆動用エンジン６を軽量化できる。荷台部２２の上に載置される防音室４内の発電機駆動用エンジン６を軽量化することで、移動電源車１の重心をより低くできる。三角クローラ３を装着した移動電源車１の重心が低いことによる効果は上述した通りである。
【００４４】
以上、本考案の好適な実施の形態について説明したが、本考案は上述の実施形態に限られるものではなく、実用新案登録請求の範囲に記載した限りにおいて様々な変更が可能である。
【００４５】
１つの駆動輪３１に対して、前後方向に並んで配置される転輪３２〜３５の数は、４つに限らない。１つの駆動輪３１に対して、前後方向に並んで配置される転輪３２〜３５の数は、２つであっても、３つであっても、５つ以上であってもよい。
【００４６】
上記実施形態の移動電源車１は、前後方向に並んだ２つの車軸２３を有する。しかし、本考案が適用される移動電源車が有する車軸の数は、３つ以上であってもよい。３つ以上の車軸の両端に、それぞれ三角クローラが装着される。
【００４７】
本考案が適用される移動電源車の車両本体は、最大積載量が６５００ｋｇ以上の大型トラックに相当してもよい。また、本考案が適用される移動電源車の車両本体は、最大積載量が３０００ｋｇ未満の小型トラックに相当してもよい。
【００４８】
上記実施形態の移動電源車１は、三角クローラ３とタイヤ４０を選択的に装着できる。しかし、本考案が適用される移動電源車は、三角クローラしか装着できなくてもよい。
【符号の説明】
【００４９】
１  移動電源車
２  車両本体
３  三角クローラ
４  防音室
５  発電機
６  発電機駆動用エンジン
２２  荷台部
２３（２３Ｆ、２３Ｒ）  車軸
３１  駆動輪
３２〜３５  転輪
３６  履帯
【図１】
0003204254.tif 000003
【図２】
0003204254.tif 000004